(57)【要約】【課題】開放面積及び開放位置も自由に設定でき、覆蓋の重量を軽量化すると共に、開閉が容易な屋外設置槽用可動式覆蓋を提供すること。【解決手段】屋外設置槽例えば貯水槽１の開口部２を開閉可能に覆う屋外設置槽用可動式覆蓋において、貯水槽の開口部の一方の対向する縁部間に架設される第１の梁材１０によって開口部を区画し、第１の梁材と開口部の他方の対向する縁部に配設される第２の梁材２０とを互いに平行に配置すると共に、第１の梁材と第２の梁材の対向する面に複数段の棚部５０を形成し、区画された開口部を閉塞すべく第１及び第２の梁材間に架設される複数の覆蓋材４０を、棚部上を転動するローラ６０を介して各棚部にそれぞれ開閉移動可能に配設する。これにより、覆蓋の重量を軽量化することができると共に、開閉を容易にすることができる。【選択図】    図４
2007253989.tif 000002
【特許請求の範囲】
【請求項１】
浄水槽，貯水槽や上水路等の屋外設置槽の開口部を開閉可能に覆う屋外設置槽用可動式覆蓋において、
上記屋外設置槽の開口部の一方の対向する縁部間に架設される第１の梁材によって開口部を区画し、
上記第１の梁材と上記開口部の他方の対向する縁部に配設される第２の梁材とを互いに平行に配置すると共に、第１の梁材と第２の梁材の対向する面に複数段の棚部を形成し、
区画された上記開口部を閉塞すべく上記第１及び第２の梁材間に架設される複数の覆蓋材を、上記棚部上を転動するローラを介して各棚部にそれぞれ開閉移動可能に配設してなる、
ことを特徴とする屋外設置槽用可動式覆蓋。
【請求項２】
浄水槽，貯水槽や上水路等の屋外設置槽の開口部を開閉可能に覆う屋外設置槽用可動式覆蓋において、
上記屋外設置槽の開口部の一方の対向する縁部間に架設される互いに平行な複数の第１の梁材によって開口部を区画し、
上記第１の梁材と上記開口部の他方の対向する縁部に配設される第２の梁材とを互いに平行に配置し、
上記第１の梁材同士の対向する面及び第１の梁材と第２の梁材の対向する面に複数段の棚部を形成し、
区画された上記開口部を閉塞すべく上記第１及び第２の梁材間に架設される複数の覆蓋材を、上記棚部上を転動するローラを介して各棚部にそれぞれ開閉移動可能に配設してなる、
ことを特徴とする屋外設置槽用可動式覆蓋。
【請求項３】
請求項１又は２記載の屋外設置槽用可動式覆蓋において、
上記ローラを、上記覆蓋材の開閉移動方向の前後２箇所に設けると共に、両ローラの取付位置を変えて覆蓋材の上面に水勾配を設け、かつ、上記水勾配を、閉塞状態における上記覆蓋材の上段側から下段側に向かって設ける、ことを特徴とする屋外設置槽用可動式覆蓋。
【請求項４】
請求項１ないし３のいずれかに記載の屋外設置槽用可動式覆蓋において、
上記覆蓋材の端部に、上記梁材の起立片に転動可能なガイドローラを装着してなる、ことを特徴とする屋外設置槽用可動式覆蓋。
【請求項５】
請求項１ないし４のいずれかに記載の屋外設置槽用可動式覆蓋において、
上記覆蓋材の開閉移動方向における端部辺に水切りシートを垂下し、下段側に位置する覆蓋材における開閉移動方向における端部辺には、上記水切りシートより内側に起立する水切り片を設けてなる、ことを特徴とする屋外設置槽用可動式覆蓋。
【請求項６】
請求項１ないし５のいずれかに記載の屋外設置槽用可動式覆蓋において、
上記覆蓋材に、弾性力を付勢して梁材側に突出するストッパ部材を設け、上記梁材には、上記ストッパ部材が係合可能な係止部を設け、更に、上記弾性力に抗して上記ストッパ部材と係止部との係合を解除するストッパ解除治具を具備してなる、ことを特徴とする屋外設置槽用可動式覆蓋。
【請求項７】
請求項６記載の屋外設置槽用可動式覆蓋において、
上記ストッパ部材を、上記覆蓋材の上面に対峙する一対の支持ブラケットに設けられた貫通孔を貫通するストッパピンにて形成し、このストッパピンに装着されるばね受け鍔部と上記覆蓋材の内方側の一方の支持ブラケットとの間にばね部材を縮設し、上記ばね部材の弾性力の付勢によって当接する上記ばね受け鍔部と他方の支持ブラケットとの当接部上面に上方に向かって拡開するテーパ面を形成し、上記ストッパ解除治具の先端に、上記テーパ面を離反する楔状解除部を設けてなる、ことを特徴とする屋外設置槽用可動式覆蓋。
【請求項８】
請求項１，３ないし７のいずれかに記載の屋外設置槽用可動式覆蓋において、
上記第１の梁材と第２の梁材の間に架設されて上記開口部を区画する第３の梁材を更に具備する、ことを特徴とする屋外設置槽用可動式覆蓋。
【請求項９】
請求項２ないし７のいずれかに記載の屋外設置槽用可動式覆蓋において、
上記第１の梁材同士間及び第１の梁材と第２の梁材の間に架設されて上記開口部を区画する第３の梁材を更に具備する、ことを特徴とする屋外設置槽用可動式覆蓋。
【請求項１０】
請求項１ないし９のいずれかに記載の屋外設置槽用可動式覆蓋において、
上記覆蓋材は、ハニカムパネルにより形成されてなる、ことを特徴とする屋外設置槽用可動式覆蓋。
【発明の詳細な説明】
【技術分野】
【０００１】
この発明は、例えば浄水場に設置される浄化槽，貯水槽や上水路等の屋外設置槽の開口部を被覆する屋外設置槽用可動式覆蓋に関するものである。
【背景技術】
【０００２】
一般に、浄化槽，貯水槽や上水路等は、精製した上水に雨水等による大気の汚れやゴミの浸入を防ぐために、浄化槽，貯水槽や上水路等の開口部を平板状の覆蓋で被覆している。従来では、これらの覆蓋の材料として、軽量で作業性に優れ、長尺で幅広の面材が形成でき、かつ、リサイクル性に優れたアルミニウム製の覆蓋が提案されている。
【０００３】
アルミニウム製の覆蓋として、複数の枠材にアルミニウム製板材が取付けられた屋根材（覆蓋材）が知られており、この屋根材の両側には車輪ユニットが取付けられ、槽の縁部に沿設されたレール上を移動するようになっている（例えば、特許文献１参照）。
【特許文献１】特開２００５−８２４５号公報（段落番号００１２、図１，図２）
【発明の開示】
【発明が解決しようとする課題】
【０００４】
しかしながら、従来の特開２００５−８２４５号公報に記載の覆蓋においては、槽の開口面積が大きい場合には覆蓋の強度を考えた場合、極めて大型の構造となり、槽を開放したい場合の開放面積、開放位置も限られるものであった。また、覆蓋材は枠材に表面板を張った構造であるために、表面板の変形が生じ屋根勾配を大きくしないと覆蓋上に水が滞留するので、大きな屋根勾配が必要であった。
【０００５】
また、枠材に表面板を張った構造とするには、枠材の剛性を極めて高くしないと平面より見た形状における変形（面内変形）が生じるという問題があった。また、剛性を高くするには重量が増加するため、覆蓋を手動で開閉する場合に、一人で開閉することが困難となり、車輪構造を工夫する必要があった。
【０００６】
この発明は上記事情に鑑みてなされたもので、開放面積及び開放位置も自由に設定できる覆蓋を提供し、更にまた、覆蓋の重量を軽量化すると共に、開閉容易な屋外設置槽用可動式覆蓋を提供することを課題とする。
【課題を解決するための手段】
【０００７】
上記課題を解決するために、この発明の屋外設置槽用可動式覆蓋は、浄水槽，貯水槽や上水路等の屋外設置槽の開口部を開閉可能に覆う屋外設置槽用可動式覆蓋を前提とし、請求項１記載の発明は、上記屋外設置槽の開口部の一方の対向する縁部間に架設される第１の梁材によって開口部を区画し、  上記第１の梁材と上記開口部の他方の対向する縁部に配設される第２の梁材とを互いに平行に配置すると共に、第１の梁材と第２の梁材の対向する面に複数段の棚部を形成し、  区画された上記開口部を閉塞すべく上記第１及び第２の梁材間に架設される複数の覆蓋材を、上記棚部上を転動するローラを介して各棚部にそれぞれ開閉移動可能に配設してなる、ことを特徴とする。
【０００８】
また、請求項２記載の発明は、上記屋外設置槽の開口部の一方の対向する縁部間に架設される互いに平行な複数の第１の梁材によって開口部を区画し、  上記第１の梁材と上記開口部の他方の対向する縁部に配設される第２の梁材とを互いに平行に配置し、  上記第１の梁材同士の対向する面及び第１の梁材と第２の梁材の対向する面に複数段の棚部を形成し、  区画された上記開口部を閉塞すべく上記第１及び第２の梁材間に架設される複数の覆蓋材を、上記棚部上を転動するローラを介して各棚部にそれぞれ開閉移動可能に配設してなる、ことを特徴とする。
【０００９】
このように構成することにより、屋外設置槽の開口部の対向する縁部間に架設される１又は複数の第１の梁材によって開口部を区画し、区画された開口部を、第１の梁材及び第２の梁材の棚部上を転動するローラを介して複数の覆蓋材によって開閉可能に覆うことができる。また、各覆蓋材を、梁材の対向する面に形成された複数段の棚部に開閉移動可能に配設することで、各覆蓋材を互いに干渉させることなく段状に積層した状態で開口部を開放することができる。
【００１０】
また、請求項３記載の発明は、請求項１又は２記載の屋外設置槽用可動式覆蓋において、上記ローラを、上記覆蓋材の開閉移動方向の前後２箇所に設けると共に、両ローラの取付位置を変えて覆蓋材の上面に水勾配を設け、かつ、上記水勾配を、閉塞状態における上記覆蓋材の上段側から下段側に向かって設ける、ことを特徴とする。
【００１１】
このように構成することにより、覆蓋材の開閉移動方向の前後２箇所に設けたローラを棚部上に転動させて覆蓋材の開閉移動を行うことができる。また、両ローラの取付位置を変えることで、覆蓋材の上面に容易に水勾配を設けることができる。
【００１２】
また、請求項４記載の発明は、請求項１ないし３のいずれかに記載の屋外設置槽用可動式覆蓋において、上記覆蓋材の端部に、上記梁材の起立片に転動可能なガイドローラを装着してなる、ことを特徴とする。
【００１３】
このように構成することにより、覆蓋材の開閉移動時に開閉方向と直交する方向の覆蓋材の傾きを防止することができる。
【００１４】
また、請求項５記載の発明は、請求項１ないし４のいずれかに記載の屋外設置槽用可動式覆蓋において、上記覆蓋材の開閉移動方向における端部辺に水切りシートを垂下し、下段側に位置する覆蓋材における開閉移動方向における端部辺には、上記水切りシートより内側に起立する水切り片を設けてなる、ことを特徴とする。
【００１５】
このように構成することにより、覆蓋材の上面に溜まった雨水等が下段の覆蓋材を伝って槽内に浸入するのを防止することができる。
【００１６】
また、請求項６記載の発明は、請求項１ないし５のいずれかに記載の屋外設置槽用可動式覆蓋において、上記覆蓋材に、弾性力を付勢して梁材側に突出するストッパ部材を設け、上記梁材には、上記ストッパ部材が係合可能な係止部を設け、更に、上記弾性力に抗して上記ストッパ部材と係止部との係合を解除するストッパ解除治具を具備してなる、ことを特徴とする。この場合、上記ストッパ部材を、上記覆蓋材の上面に対峙する一対の支持ブラケットに設けられた貫通孔を貫通するストッパピンにて形成し、このストッパピンに装着されるばね受け鍔部と上記覆蓋材の内方側の一方の支持ブラケットとの間にばね部材を縮設し、上記ばね部材の弾性力の付勢によって当接する上記ばね受け鍔部と他方の支持ブラケットとの当接部上面に上方に向かって拡開するテーパ面を形成し、上記ストッパ解除治具の先端に、上記テーパ面を離反する楔状解除部を設ける方が好ましい（請求項７）。
【００１７】
このように構成することにより、覆蓋材を開口部の閉塞位置又は開放位置に固定することができると共に、ストッパ解除治具を用いてストッパ状態を解除して覆蓋材の開閉移動を可能にすることができる。
【００１８】
また、この発明において、上記第１の梁材と第２の梁材の間に架設されて上記開口部を区画する第３の梁材を更に具備するか、あるいは、上記第１の梁材同士間及び第１の梁材と第２の梁材の間に架設されて上記開口部を区画する第３の梁材を更に具備するようにしてもよい（請求項８，９）。
【００１９】
このように構成することにより、屋外設置槽の開口部を更に小面積に区画することができる。
【００２０】
また、上記覆蓋材をハニカムパネルにより形成してもよい（請求項１０）。
【００２１】
これにより、開閉時に平面形状に変形が生じることなく、開閉の容易な覆蓋を提供できる。
【発明の効果】
【００２２】
この発明によれば、上記のように構成されているので、以下のような効果が得られる。
【００２３】
（１）請求項１，２記載の発明によれば、梁材によって区画された開口部を、梁材に形成された棚部上を転動するローラを介して複数の覆蓋材によって開閉可能に覆うことができるので、覆蓋材を小型軽量にすることができると共に、開閉を容易にすることができる。また、各覆蓋材を互いに干渉させることなく段状に積層した状態で開口部を開放することができるので、開放状態の開口面積を広くすることができると共に、覆蓋材の格納を容易にすることができる。
【００２４】
（２）請求項３記載の発明によれば、覆蓋材の開閉移動方向の前後２箇所に設けたローラを棚部上に転動させて覆蓋材の開閉移動を行うことができるので、上記（１），（２）に加えて、更に覆蓋材の開閉移動を安定した状態で容易に行うことができる。また、両ローラの取付位置を変えることで、覆蓋材の上面に容易に水勾配を設けることができ、かつ、水勾配を、閉塞状態における覆蓋材の上段側から下段側に向かって設けるので、覆蓋材の上面に雨水等が溜まるのを防止することができ、上記（１）に加えて、更に雨水等が屋外設置槽内に浸入するのを防止することができる。
【００２５】
（３）請求項４記載の発明によれば、覆蓋材の開閉移動時に開閉方向と直交する方向の覆蓋材の傾きを防止することができるので、上記（１），（２）に加えて、更に覆蓋材の開閉移動を容易かつ確実にすることができる。
【００２６】
（４）請求項５記載の発明によれば、覆蓋材の上面に溜まった雨水等が下段の覆蓋材を伝って槽内に浸入するのを防止することができるので、上記（１）〜（３）に加えて、更に雨水等が槽内に浸入するのを確実に防止することができる。
【００２７】
（５）請求項６，７記載の発明によれば、覆蓋材を開口部の閉塞位置又は開放位置に固定することができると共に、ストッパ解除治具を用いてストッパ状態を解除して覆蓋材の開閉移動を可能にすることができるので、上記（１）〜（４）に加えて、更に覆蓋材の閉塞状態を確実にする事ができると共に、開閉作業を容易にすることができる。
【００２８】
（６）請求項８，９記載の発明によれば、屋外設置槽の開口部を更に小面積に区画することができるので、上記（１）〜（５）に加えて、更に梁材に強度をもたせることができる。
【００２９】
（７）請求項１０記載の発明によればハニカムパネルは面内強度が大きいので、開閉時に平面形状に変形が生じることなく、開閉の容易な覆蓋を提供できる。
【発明を実施するための最良の形態】
【００３０】
以下に、この発明に係る屋外設置槽用可動式覆蓋の最良の実施形態を添付図面に基づいて詳細に説明する。
【００３１】
＜第１実施形態＞
図１は、この発明に係る屋外設置槽用可動式覆蓋の第１実施形態の使用状態（被覆状態）を示す概略平面図、図２は、図１のＩ−Ｉ線に沿う概略断面図、図３は、図２の要部断面図、図４は、図１のII−II線に沿う断面図である。
【００３２】
上記屋外設置槽用可動式覆蓋（以下に、単に覆蓋という）は、屋外設置槽例えば貯水槽１の開口部２における一方の対向する縁部間に架設されて、開口部２を区画する互いに平行な複数（図面では２本の場合を示す）の第１の梁材１０と、開口部２の他方の対向する縁部に配置される第１の梁材１０と互いに平行な第２の梁材２０と、第１の梁材１０同士間及び第１の梁材１０と第２の梁材２０の間に架設されて開口部２を区画する第３の梁材３０と、第１〜第３の梁材１０，２０，３０によって区画された開口部２を開閉する複数（図面では、５枚の場合を示す）の覆蓋材４０と、で主に構成されている。
【００３３】
また、第１の梁材１０同士の対向する面及び第１の梁材１０と第２の梁材２０の対向する面には、複数段の棚部５０が形成されており、第１の梁材１０間及び第１の梁材１０と第２の梁材２０との間に架設される複数の覆蓋材４０は、棚部５０上を転動するローラ６０を介して各棚部５０にそれぞれ開閉移動可能に配設されている。
【００３４】
上記第１の梁材１０は、図４に示すように、互いに平行に間隔をおいて対峙する一対の梁材本体１１と、両梁材本体１１の上部間に架設され、溶接又はボルト等にて固定されるプレート１２とで構成されている。この場合、梁材本体１１は、この梁材本体１１の基部をなす起立片１３の上下部にそれぞれ上部水平片１４及び下部水平片１５を有する断面略Ｉ字状のアルミニウム製の押出形材によって形成されている。なお、プレート１２は、滑り止め機能を有する例えばアルミニウム製チェッカープレートによって形成されている。
【００３５】
上記第２の梁材２０は、図４に示すように、第１の梁材１０の梁材本体１１と同様に、起立片２３の上下部にそれぞれ上部水平片２４及び下部水平片２５を有する断面略Ｉ字状のアルミニウム製の押出形材によって形成されている。
【００３６】
上記第１の梁材１０の梁材本体１１と第２の梁材２０の対向する起立片１３，２３の側面には、棚部材５１が例えばボルト、ナット等の固定部材５５によって多段に固定されて、棚部５０が構成されている。この場合、棚部材５１は、図５及び図６に示すように、ローラ６０のレール面を構成する水平基部５２と、この水平基部５２の一端に垂下する垂下片５３と、水平基部５２の他端に垂下する肉厚の取付用垂下片５４とを有する略チャンネル状のアルミニウム製の押出形材によって形成されており、取付用垂下片５４と第１の梁材１０又は第２の梁材２０の起立片１３，２３とが固定部材５５によって固定されている。
【００３７】
一方、上記覆蓋材４０は、図４〜図６に示すように、一対のアルミニウム製表面板４１と、これら表面板４１間に介在されるアルミニウム製の中空コア材４２とをろう付けあるいは接着によって一体化したハニカムパネルによって形成されている。なお、この場合、覆蓋材４０の縁部の表面板４１間には、アルミニウム製の中空押出形材にて形成される枠材４３が介在されている。このように、覆蓋材４０をアルミニウム製ハニカムパネルによって形成することにより、覆蓋材４０の面内強度を大きくすることができるので、開閉時の平面形状に変形が生じることなく、開閉を容易にすることができる。
【００３８】
上記ローラ６０は、図３〜図６に示すように、覆蓋材４０の両端部の枠材４３にボルト６１によって固定されるローラ保持部材６２に枢支軸６３を介して回転自在に装着されて、棚部材５１の水平基部５２上を転動し得るようになっている。なお、最下段側の覆蓋材４０に装着されたローラ６０は、第１及び第２の梁材１０，２０の下部水平片１５，２５上を転動し得るようになっている。また、図３に示すように、ローラ６０は、各覆蓋材４０の開閉移動方向の前後２箇所に設けられており、この際、両ローラ６０の取付位置を変えて覆蓋材４０の上面に水勾配θを設け、かつ、水勾配θを、閉塞状態における覆蓋材４０の上段側から下段側に向かって設けている。したがって、覆蓋材４０によって開口部２を閉塞した状態においては、上段側の覆蓋材４０から順次下段側の覆蓋材４０に向かって水勾配θが形成されるので、覆蓋材４０の上面に溜まった雨水等を貯水槽１の外側に排水することができる。
【００３９】
また、各覆蓋材４０の開閉移動方向の前後端部の２箇所には覆蓋材４０の開閉移動を安定化させるためのガイドローラ６５が装着されている。このガイドローラは、図３及び図６に示すように、覆蓋材４０の枠材４３にボルト６６によって固定されるガイドローラ保持部材６７に垂直軸６８を介して回転自在に装着されて、第１の梁材１０及び第２の梁材２０の起立片１３，２３の側面に転動可能に構成されている。
【００４０】
また、図３に示すように、各覆蓋材４０の開閉移動方向における端部辺に、例えば合成ゴム製の水切りシート７０が垂下されている。また、下段側に位置する覆蓋材４０における開閉移動方向における端部辺には、水切りシート７０より内側に起立する水切り片７１が設けられている。このように構成することにより、覆蓋材４０の上面に溜まった雨水等が下段の覆蓋材４０を伝って貯水槽１内に浸入するのを防止することができる。
【００４１】
なお、この場合、水切りシート７０は弾力性があり変形が容易なので図３において上段側の覆蓋材４０を固定した状態で、下段側の覆蓋材４０を図３において右方に移動させることができ、任意の位置の覆蓋材４０を任意の方向に移動できるようになる。
【００４２】
また、覆蓋材４０には、弾性力を付勢して例えば第１の梁材１０側に突出するストッパ部材８０が設けられており、第１の梁材１０には、ストッパ部材８０が係合可能な係止部８１を設け、更に、弾性力に抗してストッパ部材８０と係止部８１との係合を解除するストッパ解除治具９０が備えられている。なおこの場合、係止部８１は、第１の梁材１０の棚部５０を構成する棚部材５１の垂下片５３に設けられる切欠き８１ａによって形成されている（図５及び図６参照）。
【００４３】
この場合、ストッパ部材８０は、覆蓋材４０の上面に対峙する一対の支持ブラケット８２，８３に設けられた貫通孔８４を貫通するストッパピンにて形成され、このストッパピンに装着されるばね受け鍔部８５と覆蓋材４０の内方側の一方の支持ブラケット８２との間にばね部材例えば圧縮ばね８６を縮設し、圧縮ばね８６の弾性力の付勢によって当接するばね受け鍔部８５と他方の支持ブラケット８３との当接部上面に上方に向かって拡開するテーパ面８７が形成されている。一方、ストッパ解除治具９０の先端には、テーパ面８７を離反する楔状解除部９１が設けられている。
【００４４】
なお、ストッパ解除治具９０は、図７に示すように、第１の梁材１０に立設された手摺１００の笠木１０１に摺動可能に装着される可動保持体１０２によって上下移動可能に保持されるか、あるいは、可動保持体１０２に着脱可能に保持されている。このように構成することにより、ストッパ解除治具９０を可動保持体１０２によって保持することができるので、ストッパ解除治具９０の保管が容易となり、また、ストッパ解除治具９０を使用する場合には、作業者が可動保持体１０２と共にストッパ解除治具９０を目的の場所に容易に移動することができるので、覆蓋材４０の開放作業を容易にすることができる。
【００４５】
上記のように構成されるストッパ部材８０とストッパ解除治具９０を設けることにより、覆蓋材４０を閉塞位置に移動した状態でストッパ部材８０が第１の梁材１０の係止部８１に係合して、覆蓋材４０がロックされる（図５及び図６参照）。また、覆蓋材４０のロック状態を解除する場合は、図７に示すように、ストッパ解除治具９０の先端に設けられた楔状解除部９１を、ばね受け鍔部８５と支持ブラケット８３との当接部上面に設けられたテーパ面８７に押し当ててテーパ面８７を離反することで、ストッパ部材８０が係止部８１から外れて、覆蓋材４０のロックを解除することができる。
【００４６】
また、上下に位置する覆蓋材４０同士は、上方の覆蓋材４０を開放側に移動する際に、上段の覆蓋材４０が連動して移動し得るように形成することもできる。すなわち、図８に示すように、上述のゴム製の水切りシート７０に代えて上段の覆蓋材４０における閉塞側端部辺に強度の大きい垂下係止部４５を設け、下段の覆蓋材４０における開放側端部辺に起立係止部４６を設けることにより、上段の覆蓋材４０を閉塞状態から開放方向に移動する際に、垂下係止部４５が下段の覆蓋材４０の起立係止部４６に係合して、上段の覆蓋材４０の開放に伴って下段の覆蓋材４０を開放することができるようになる。
【００４７】
上記のように構成されるこの発明に係る覆蓋によれば、貯水槽１を第１〜第３の梁材１０，２０，３０によって区画し、区画された開口部２を複数のアルミニウム製ハニカムパネルによって形成される覆蓋材４０によって開閉することができるので、大型の貯水槽１においても一人の作業者によって容易に開閉することができると共に、開放面積及び開放位置を自由に設定することができる。また、開放状態においては、覆蓋材４０を重ねて収納することができるので、開口面積を広くとることができる。
【００４８】
＜その他の実施形態＞
上記実施形態では、貯水槽１の区画された開口部２を開閉する覆蓋材４０が５枚である場合について説明したが、５枚以外の複数枚の覆蓋材４０によって覆蓋を形成してもよい。
【００４９】
また、上記実施形態では、貯水槽１の開口部２を２本の第１の梁材１０と２本の第２の梁材２０と第１の梁材１０間及び第１の梁材１０と第２の梁材２０に架設される第３の梁材３０によって区画する場合について説明したが、必ずしもこのような構造である必要はない。例えば、第３の梁材３０を設けずに、１又は複数の第１の梁材１０と第２の梁材２０とで開口部２を区画してもよい。
【００５０】
また、上記実施形態において、ローラ６０をモータによって駆動させて、覆蓋材４０を自動開閉式にすることも可能である。
【００５１】
なお、上記実施形態では、貯水槽１の開口部２を閉塞する覆蓋について説明したが、この発明に係る覆蓋は、貯水槽以外の屋外設置槽にも適用できることは勿論である。
【図面の簡単な説明】
【００５２】
【図１】この発明に係る屋外設置槽用可動式覆蓋の第１実施形態の使用状態（被覆状態）を示す概略平面図である。
【図２】図１のＩ−Ｉ線に沿う概略断面図である。
【図３】図２の要部断面図である。
【図４】図１のII−II線に沿う断面図である。
【図５】図３のIII−III線に沿う断面図である。
【図６】図３のIV−IV線に沿う断面図である。
【図７】この発明におけるストッパ解除治具を用いたストッパ解除状態を示す断面図である。
【図８】この発明における隣接する覆蓋材の係合状態を示す断面図である。
【符号の説明】
【００５３】
１  貯水槽（屋外設置槽）
２  開口部
１０  第１の梁材
１３  起立片
２０  第２の梁材
２３  起立片
３０  第３の梁材
４０  覆蓋材
４１  表面板
４２  中空コア材
４５  垂下係止部
４６  起立係止部
５０  棚部
５１  棚部材
６０  ローラ
６５  ガイドローラ
７０  水切りシート
７１  水切り片
８０  ストッパ部材
８１  係止部
８２，８３  支持ブラケット
８４  貫通孔
８５  ばね受け鍔部
８６  圧縮ばね（ばね部材）
８７  テーパ面
９０  ストッパ解除治具
９１  楔状解除部
【図１】
2007253989.tif 000003
【図２】
2007253989.tif 000004
【図３】
2007253989.tif 000005
【図４】
2007253989.tif 000006
【図５】
2007253989.tif 000007
【図６】
2007253989.tif 000008
【図７】
2007253989.tif 000009
【図８】
2007253989.tif 000010